(57)【要約】  表示階床名と管理階床名との対応を容易に設定することができるエレベータシステムを提供する。このため、表示階床名として表示させる数字や記号等のシンボルを入力するための入力編集部と、入力編集部から入力されたシンボルを各管理階床名に対応させる処理を行う入力編集制御部とを備える。そして、入力編集制御部の処理結果に基づき、入力編集部から入力されたシンボルを、行先階表示装置で表示する表示階床名として設定する。
2010046969.tif 000002
【特許請求の範囲】
【請求項１】
エレベータ利用者が行先階を登録するための行先階登録装置と、
前記行先階登録装置から登録された行先階を所定の表示階床名で表示する行先階表示装置と、
前記行先階登録装置及び前記行先階表示装置を含むエレベータ機器の動作を、表示階床名とは異なる所定の管理階床名を利用して制御する制御装置と、
を備えたエレベータシステムであって、
表示階床名として表示させる数字や記号等のシンボルを入力するための入力編集部と、
前記入力編集部から入力されたシンボルを各管理階床名に対応させる処理を行う入力編集制御部と、
前記入力編集制御部の処理結果に基づき、前記入力編集部から入力されたシンボルを、前記行先階表示装置で表示する表示階床名として設定する設定手段と、
を備えたことを特徴とするエレベータシステム。
【請求項２】
エレベータ利用者が行先階を登録するための行先階登録装置と、
前記行先階登録装置から登録された行先階を所定の表示階床名で表示する行先階表示装置と、
前記行先階登録装置及び前記行先階表示装置を含むエレベータ機器の動作を、表示階床名とは異なる所定の管理階床名を利用して制御する制御装置と、
を備えたエレベータシステムであって、
表示階床名として表示させる数字や記号等のシンボルを入力するための入力編集部と、
前記入力編集部から入力されたシンボルを各管理階床名に対応させて、前記入力されたシンボルと管理階床名との対応表を作成する入力編集制御部と、
前記入力編集制御部によって作成された対応表に基づき、前記入力編集部から入力されたシンボルを、前記行先階表示装置で表示する表示階床名として設定する設定手段と、
を備えたことを特徴とするエレベータシステム。
【請求項３】
入力編集部及び入力編集制御部は、行先階登録装置及び行先階表示装置とは別装置からなるビル階床名設定装置に備えられ、
設定手段は、
前記ビル階床名設定装置に設けられ、前記入力編集制御部の処理結果を送信する第１通信部と、
前記行先階表示装置に設けられ、前記第１通信部から送信された前記入力編集部の処理結果を受信する第２通信部と、
を備え、前記第２通信部が受信した内容に基づき、前記入力編集部から入力されたシンボルを、前記行先階表示装置で表示する表示階床名として設定する
ことを特徴とする請求項１又は請求項２に記載のエレベータシステム。
【請求項４】
ビル階床名設定装置は、第１通信部によって制御装置と通信可能に構成され、
入力編集制御部は、表示階床名の設定時に、管理階床名を含む情報を前記制御装置から受信する
ことを特徴とする請求項３に記載のエレベータシステム。
【請求項５】
入力編集部及び入力編集制御部は、行先階登録装置及び行先階表示装置とは別装置からなるビル階床名設定装置に備えられ、
設定手段は、
前記ビル階床名設定装置に設けられ、前記ビル階床名設定装置及び前記行先階表示装置に着脱自在な記憶媒体に、前記入力編集制御部の処理結果を記憶させる書込手段と、
前記行先階表示装置に設けられ、前記記憶媒体に記憶された前記入力編集制御部の処理結果を読み取る読取手段と、
を備え、前記読取手段が読み取った内容に基づき、前記入力編集部から入力されたシンボルを、前記行先階表示装置で表示する表示階床名として設定する
ことを特徴とする請求項１又は請求項２に記載のエレベータシステム。
【請求項６】
入力編集部及び入力編集制御部は、行先階登録装置に備えられ、
設定手段は、
前記行先階登録装置に設けられ、前記入力編集制御部の処理結果を送信する第１通信部と、
行先階表示装置に設けられ、前記第１通信部から送信された前記入力編集制御部の処理結果を受信する第２通信部と、
を備え、前記第２通信部が受信した内容に基づき、前記入力編集部から入力されたシンボルを、前記行先階表示装置で表示する表示階床名として設定する
ことを特徴とする請求項１又は請求項２に記載のエレベータシステム。
【請求項７】
行先階登録装置は、利用者が登録可能な行先階を、行先階表示装置で使用されている表示階床名と同じ表示階床名で表示し、
設定手段は、前記行先階表示装置と前記行先階登録装置との双方に対して、入力編集部から入力されたシンボルを表示階床名として設定する
ことを特徴とする請求項１又は請求項２に記載のエレベータシステム。
【請求項８】
エレベータの現在階を、行先階表示装置で使用されている表示階床名と同じ表示階床名で表示する現在階表示装置と、
を更に備え、
設定手段は、前記行先階表示装置と前記現在階表示装置との双方に対して、入力編集部から入力されたシンボルを表示階床名として設定する
ことを特徴とする請求項１又は請求項２に記載のエレベータシステム。
【発明の詳細な説明】
【技術分野】
【０００１】
この発明は、エレベータで使用するビルの階床名を容易に設定及び変更できるエレベータシステムに関するものである。
【背景技術】
【０００２】
図７は従来のエレベータのかご操作盤を示す図である。図７において、３４はエレベータの行先階毎に設けられた行先釦、３５は戸開釦、３６は戸閉釦である。図７に示すように、従来のかご操作盤では、各行先釦３４の表面にラベル印刷等によって数字等を付すことにより、ビルの階床名の表示を行っていた。【０００３】
行先釦３４に表示されるこの階床名は、エレベータ設置ビルの仕様や客先の要求等に応じて、エレベータ毎に適宜決定されるものである。即ち、上記階床名の表示に数字のみが使用される訳ではなく、上記階床名として、数字以外の英字や記号等が使用されたり、不吉なことを連想させる数字が使用されなかったりすることがある。例えば、地下階を表す階床名として、英字の「Ｂ」が使用されたりする。また、日本では、数字の４が「死」を連想させるといった理由から、ビルに４階が存在しない場合もある。かかる場合、３階の一つ上の階床は５階となり、行先釦３４に表示される行先階もそれに合わせて設定される。【０００４】
上記構成のかご操作盤が備えられたエレベータでは、利用者は、かごに乗車した後に行先釦３４を押して自分の行先階を登録する。また、上記操作によって行先階が登録されると、押された行先釦３４に内蔵されたＬＥＤ等が点灯され、その行先階が既に登録済みであることが利用者に対して報知される。即ち、図７に示すかご操作盤には、行先階を登録する機能と、登録済みの行先階を報知（表示）する機能との双方の機能が備えられている。【０００５】
一方、高層ビルのようにエレベータの停止階（行先階）が多くなると、上記構成のかご操作盤では、多数の行先釦を配置しなければならなくなり、意匠性や操作性、設置スペース等の種々の問題が発生してしまう。
このような問題を解決するため、例えば、下記特許文献１に、テンキー式の行先階登録装置をかご等に設置したものが提案されている。しかし、上記テンキー式の行先階登録装置では、登録済みの行先階を利用者に対して表示する機能を備えることができない。即ち、テンキー式の行先階登録装置を備えたエレベータでは、上記行先階登録装置とは別に、かご内等に、上記表示機能を備えた行先階表示装置を設置しなければならなかった。なお、上記特許文献１には、行先階毎のＬＥＤが備えられた行先階表示装置が開示されているが、このような行先階表示装置では、上述したような、意匠性や視認性、設置スペース、設置コスト等の問題を解決することはできなかった。【０００６】
また、他の従来技術として、エレベータの乗場やかご等に液晶ディスプレイ等からなる行先階表示装置を設置し、登録された行先階の内容に合わせて、その表示内容を変更するものも提案されている（例えば、特許文献２参照）。特許文献２に記載された液晶ディスプレイ等からなる行先階表示装置であれば、その表示内容を容易に制御できるため、例えば、登録済みの行先階のみを表示するようにして、上記設置スペースや設置コスト等の問題を解決することができる。【０００７】
【特許文献１】日本特開平８−１７５７７０号公報
【特許文献２】国際公開ＷＯ２００５／１０５６４３号公報
【発明の開示】
【発明が解決しようとする課題】
【０００８】
一方、エレベータの制御機能を司る装置側では、利用者に対して表示する階床名（図７の行先釦３４に表示された階床名や上記特許文献２の液晶ディスプレイに表示される階床名等のこと；以下、「表示階床名」ともいう）とは無関係に、エレベータを管理制御するための階床名（以下、「管理階床名」ともいう）を使用して、エレベータの各動作を制御している。そして、この管理階床名は、一般に、管理制御の容易性等の理由から、最下階が１階、最下階の上階が２階、その上階が３階・・・となるように、最下階を１階として、そこから昇順に停止する階床を数えるように表現されている。【０００９】
図８は図７に示すエレベータの表示階床名と管理階床名との関係を示す図である。図８に示すように、表示階床名と管理階床名とは、必ずしも一致するとは限らない。このため、上記特許文献２に記載のものも含め従来のエレベータでは、サービスを開始する前に表示階床名と管理階床名との対応表を設計し、その設計した対応表を事前にエレベータに適用する必要があった。【００１０】
なお、表示階床名と管理階床名との対応表は客先毎に異なり、その設計は、基本的に一品物の生産となる。また、客先の要求等に応じて設計した対応表をエレベータに適用するためには、行先階登録装置、行先階表示装置、制御装置等の各装置について、コントローラ基板上の記憶媒体に蓄積されたデータを書き換えなければならない。このため、製造プロセスが増加し、エレベータシステム全体の製造コストが大きくなるといった問題があった。【００１１】
特に、特許文献２に記載の液晶ディスプレイ等からなる行先階表示装置や、液晶タイプのタッチパネル等からなる行先階登録装置が使用されている場合は、表示階床名として、数字や英字以外の文字や符号、記号等を使用することが可能となり、これら特殊な表現方法を表示階床名として採用したいといった要求が増えることが予想される。また、表示階床名として種々の表現方法が可能なため、エレベータのサービス開始後に表示階床名を変更したいといった要求が多くなることも予想される。したがって、今後は、表示階床名と管理階床名との対応表をエレベータに適用させる頻度も多くなると考えられ、上記問題に対する早急な対応が望まれていた。【００１２】
この発明は、上述のような課題を解決するためになされたもので、その目的は、表示階床名と管理階床名との対応を容易に設定することができ、更に、表示階床名を一旦設定した後にも、その表示内容を容易に変更することができるエレベータシステムを提供することである。
【課題を解決するための手段】
【００１３】
この発明に係るエレベータシステムは、エレベータ利用者が行先階を登録するための行先階登録装置と、行先階登録装置から登録された行先階を所定の表示階床名で表示する行先階表示装置と、行先階登録装置及び行先階表示装置を含むエレベータ機器の動作を、表示階床名とは異なる所定の管理階床名を利用して制御する制御装置と、を備えたエレベータシステムであって、表示階床名として表示させる数字や記号等のシンボルを入力するための入力編集部と、入力編集部から入力されたシンボルを各管理階床名に対応させる処理を行う入力編集制御部と、入力編集制御部の処理結果に基づき、入力編集部から入力されたシンボルを、行先階表示装置で表示する表示階床名として設定する設定手段と、を備えたものである。【００１４】
また、この発明に係るエレベータシステムは、エレベータ利用者が行先階を登録するための行先階登録装置と、行先階登録装置から登録された行先階を所定の表示階床名で表示する行先階表示装置と、行先階登録装置及び行先階表示装置を含むエレベータ機器の動作を、表示階床名とは異なる所定の管理階床名を利用して制御する制御装置と、を備えたエレベータシステムであって、表示階床名として表示させる数字や記号等のシンボルを入力するための入力編集部と、入力編集部から入力されたシンボルを各管理階床名に対応させて、入力されたシンボルと管理階床名との対応表を作成する入力編集制御部と、入力編集制御部によって作成された対応表に基づき、入力編集部から入力されたシンボルを、行先階表示装置で表示する表示階床名として設定する設定手段と、を備えたものである。
【発明の効果】
【００１５】
この発明によれば、エレベータシステムにおいて、表示階床名と管理階床名との対応を容易に設定することができ、更に、表示階床名を一旦設定した後にも、その表示内容を容易に変更することができるようになる。
【図面の簡単な説明】
【００１６】
【図１】この発明の実施の形態１におけるエレベータシステムの全体構成を示す図である。
【図２】図１の行先階登録装置の具体的構成を示す図である。
【図３】図１の行先階表示装置の具体的構成を示す図である。
【図４】図１の現在階表示装置の具体的構成を示す図である。
【図５】この発明の実施の形態１におけるエレベータシステムの動作を示すフローチャートである。
【図６】この発明の実施の形態１におけるエレベータシステムの動作を示すフローチャートである。
【図７】従来のエレベータのかご操作盤を示す図である。
【図８】図７に示すエレベータの表示階床名と管理階床名との関係を示す図である。
【符号の説明】
【００１７】
１  行先階登録装置、  ２  行先階表示装置、  ３  現在階表示装置、
４  制御装置、  ５  ビル階床名設定装置、  ６  センサー部、
７  センサー制御部、  ８  行先階入力表示部、  ９  表示制御部、
１０  データ格納部、  １１  通信部、  １２  メモリ、  １３  マイコン、
１４  行先階表示部、  １５  表示制御部、  １６  表示データ格納部、
１７  通信部、  １８  メモリ、  １９  マイコン、  ２０  現在階表示部、
２１  表示制御部、  ２２  表示データ格納部、  ２３  通信部、  ２４  メモリ、
２５  マイコン、  ２６  入力編集部、  ２７  入力編集制御部、  ２８  表示部、
２９  表示制御部、  ３０  データ格納部、  ３１  通信部、  ３２  メモリ、
３３  マイコン、  ３４  行先釦、  ３５  戸開釦、  ３６  戸閉釦
【発明を実施するための最良の形態】
【００１８】
この発明をより詳細に説明するため、添付の図面に従ってこれを説明する。なお、各図中、同一又は相当する部分には同一の符号を付しており、その重複説明は適宜に簡略化ないし省略する。【００１９】
実施の形態１．
図１はこの発明の実施の形態１におけるエレベータシステムの全体構成を示す図である。図１において、１はエレベータの利用者が行先階を登録するための行先階登録装置、２はエレベータが停止する階床、即ち行先階登録装置１から登録された行先階を表示するための行先階表示装置、３はエレベータの現在位置（現在階）を表示するための現在階表示装置である。【００２０】
上記行先階登録装置１、行先階表示装置２、現在階表示装置３には、同一の表示階床名が適用されている。即ち、行先階登録装置１は、利用者がその表示を見て自分の行先階を登録するため、行先階表示装置２は、利用者がその表示を見てエレベータの停止階を確認するため、現在階表示装置３は、利用者がその表示を見てエレベータの現在位置を確認するために、同じ方法によって表現された表示階床名を表示する。なお、表示階床名は、上述した通り、エレベータ設置ビルの仕様や客先の要求等に応じて、エレベータ毎に適宜決定されるものである。【００２１】
４はエレベータシステム全体の運行制御を司る制御装置である。この制御装置４には、上記行先階登録装置１や行先階表示装置２、現在階表示装置３等の各種エレベータ機器を管理制御するための管理階床名が、上記表示階床名の表現方法とは無関係に設定されている。即ち、制御装置４は、上記管理階床名を利用して、システムに必要な各種動作を制御している。【００２２】
５は上記表示階床名と管理階床名との対応を設定及び変更するためのビル階床名設定装置である。なお、管理階床名は、最下階が１階、最下階の上階が２階、その上階が３階・・・となるように、最下階を１階として、そこから昇順に停止する階床を数えるように表現されることが多い。つまり、ビル階床名設定装置５は、予め設定されている管理階床名に対して、新規のシンボル（例えば、数字、英字、各国言語、符号、図形等）を割り付けることにより、行先階登録装置１、行先階表示装置２、現在階表示装置３の各々において使用される表示階床名を、一回の作業で同時に設定或いは変更する機能を有している。【００２３】
次に、図１乃至図４に基づき、エレベータシステムの各構成について具体的に説明する。なお、図２は図１の行先階登録装置の具体的構成を示す図、図３は図１の行先階表示装置の具体的構成を示す図、図４は図１の現在階表示装置の具体的構成を示す図である。【００２４】
行先階登録装置１は、エレベータの乗場やかご等に設置される。そして、行先階登録装置１は、図２に具体的構成の一例が示されているように、例えば、センサー部６、センサー制御部７、行先階入力表示部８、表示制御部９、データ格納部１０、通信部１１、メモリ１２、マイコン１３により、その要部が構成される。
センサー部６は、利用者が行先階を入力する行為を検出するためのものである。このセンサー部６は、例えば、行先階釦、テンキー、タッチパネル等によって構成される。また、センサー部６からの入力、即ちセンサー部６による検出信号は、センサー制御部７によって処理される。【００２５】
行先階入力表示部８は、利用者が行先階入力を行うために必要な情報を表示するためのものである。例えば、行先階登録装置１として液晶タイプのタッチパネルが採用されている場合、その液晶ディスプレイには、登録可能な行先階や行先階が登録された旨等が、上記表示階床名を使用して表示される。なお、表示制御部９は、上記行先階入力表示部８の表示内容を制御する機能を有している。【００２６】
また、行先階入力表示部８に表示される各種データは、データ格納部１０に格納されている。即ち、表示制御部９は、種々の入力信号に基づいて、最適なデータをデータ格納部１０から抽出し、行先階入力表示部８に表示させる。なお、データ格納部１０には、このエレベータの行先階床名と管理階床名との対応関係を示すデータ（以下、「対応表データ」ともいう）も格納されている。【００２７】
通信部１１は、行先階登録装置１がシステム内の他の構成と通信を行うための機能を有している。即ち、制御装置４やビル階床名設定装置５等との通信は、この通信部１１によって行われる。具体的に、通信部１１は、利用者が行先階を入力することにより、入力された行先階に対応する管理階床データを制御装置４に対して送信する。また、ビル階床名設定装置５から送信されてくるデータも、この通信部１１によって行先階登録装置１に受信される。【００２８】
なお、メモリ１２は、例えば、プログラムの格納メモリと作業メモリとから構成される。そして、マイコン１３は、上記メモリ１２を使用して、行先階登録装置１内に備えられた上記各部の処理を実行する。【００２９】
上記行先階表示装置２は、エレベータの乗場やかご等に設置される。そして、行先階表示装置２は、図３に具体的構成の一例が示されているように、例えば、行先階表示部１４、表示制御部１５、表示データ格納部１６、通信部１７、メモリ１８、マイコン１９により、その要部が構成される。
行先階表示部１４は、利用者に対してエレベータが停止する階床、即ち登録済みの行先階を表示するためのものである。具体的に、行先階表示部１４は、液晶ディスプレイやプラズマディスプレイ、ＬＥＤ、ブラウン管等によって構成される。【００３０】
表示制御部１５は、行先階表示部１４の表示内容を制御する機能を有している。具体的に、表示制御部１５は、行先階登録装置１から登録された行先階を、行先階表示部１４に所定の表示階床名で表示する。
また、行先階表示部１４に表示される各種表示データは、表示データ格納部１６に格納されている。即ち、表示制御部１５は、種々の入力信号に基づいて、最適な表示データを表示データ格納部１６から抽出し、行先階表示部１４に表示させる。なお、表示データ格納部１６には、上記対応表データも格納されている。【００３１】
通信部１７は、行先階表示装置２がシステム内の他の構成と通信を行うための機能を有している。即ち、制御装置４やビル階床名設定装置５等との通信は、この通信部１７によって行われる。具体的に、通信部１７は、登録済みの行先階に対応する管理階床データを制御装置４から受信する。また、ビル階床名設定装置５から送信されてくるデータも、この通信部１７によって行先階表示装置２に受信される。【００３２】
なお、メモリ１８は、例えば、プログラムの格納メモリと作業メモリとから構成される。そして、マイコン１９は、上記メモリ１８を使用して、行先階表示装置２内に備えられた上記各部の処理を実行する。【００３３】
上記現在階表示装置３は、エレベータの乗場やかご等に設置される。そして、現在階表示装置３は、図４に具体的構成の一例が示されているように、例えば、現在階表示部２０、表示制御部２１、表示データ格納部２２、通信部２３、メモリ２４、マイコン２５により、その要部が構成される。
現在階表示部２０は、利用者に対してエレベータの現在位置を表示するためのものである。具体的に、現在階表示部２０は、液晶ディスプレイやプラズマディスプレイ、ＬＥＤ、ブラウン管等によって構成される。【００３４】
表示制御部２１は、現在階表示部２０の表示内容を制御する機能を有している。具体的に、表示制御部２１は、エレベータの現在位置を、現在階表示部２０に所定の表示階床名で表示する。
また、現在階表示部２０に表示される各種表示データは、表示データ格納部２２に格納されている。即ち、表示制御部２１は、種々の入力信号に基づいて、最適な表示データを表示データ格納部２２から抽出し、現在階表示部２０に表示させる。なお、表示データ格納部２２には、上記対応表データも格納されている。【００３５】
通信部２３は、現在階表示装置３がシステム内の他の構成と通信を行うための機能を有している。即ち、制御装置４やビル階床名設定装置５等との通信は、この通信部２３によって行われる。具体的に、通信部２３は、エレベータの現在位置に対応する管理階床データを制御装置４から受信する。また、ビル階床名設定装置５から送信されてくるデータも、この通信部２３によって現在階表示装置３に受信される。【００３６】
なお、メモリ２４は、例えば、プログラムの格納メモリと作業メモリとから構成される。そして、マイコン２５は、上記メモリ２４を使用して、現在階表示装置３内に備えられた上記各部の処理を実行する。【００３７】
ビル階床名設定装置５は、エレベータ機械室等、エレベータの保守員等が操作可能な任意の場所に設置される。そして、ビル階床名設定装置５は、図１に具体的構成の一例が示されているように、例えば、入力編集部２６、入力編集制御部２７、表示部２８、表示制御部２９、データ格納部３０、通信部３１、メモリ３２、マイコン３３により、その要部が構成される。【００３８】
入力編集部２６は、表示階床名と管理階床名との対応表を作成するために必要な各種情報の入力及び編集を行う機能を有している。この入力編集部２６は、例えば、表示階床名として表示させるためのあらゆるシンボル（例えば、数字、英字、各国言語、符号、図形等）を入力することができる手段によって構成される。
入力編集制御部２７は、入力編集部２６からの入力情報の処理を行う機能を有している。具体的に、入力編集制御部２７は、入力編集部２６から入力されたシンボルを、予め設定されている各管理階床名に対応させ、この管理階床名に順次割り付けていく処理を行う。即ち、この入力編集制御部２７により、表示階床名として使用するために入力編集部２６から入力されたシンボルと所定の管理階床名との対応表が作成される。【００３９】
表示部２８は、上記対応表の作成に必要な各種情報を、作成者に対して表示するためのものである。即ち、入力編集部２６から入力された各種情報や、入力編集制御部２７の処理過程及び処理結果等が、表示部２８に表示される。この表示部２８は、例えば、液晶ディスプレイやプラズマディスプレイ、ＬＥＤ、ブラウン管等によって構成される。
表示制御部２９は、表示部２８の処理を制御するためのものである。即ち、表示部２８の表示内容は、この表示制御部２９の機能により、入力編集制御部２７等からの情報に基づいて制御される。【００４０】
また、データ格納部３０には、入力編集制御部２７の処理結果、即ち入力編集制御部２７によって作成された上記対応表が格納される。なお、入力編集部２６から入力されたシンボル自体のデータを、上記対応表と共にデータ格納部３０に格納しても良い。【００４１】
通信部３１は、ビル階床名設定装置５がシステム内の他の構成と通信を行うための機能を有している。即ち、制御装置４や行先階登録装置１、行先階表示装置２、現在階表示装置３等との通信は、この通信部３１によって行われる。具体的に、通信部３１は、データ格納部３０に格納されている上記対応表を、要時に、行先階登録装置１や行先階表示装置２、現在階表示装置３等に対して送信する。また、ビル階床名設定装置５は、この通信部３１によって行われる制御装置４との通信により、表示階床名の設定時に必要な管理階床名（管理階床数）等のデータを取得する。かかる機能により、管理階床名の設定を自動化して、設定作業の効率化及びコスト低減を図ることが可能となる。
なお、上記通信部３１については、特に有線或いは無線の形態を問わず、情報伝達の機能を有していれば、如何なる通信方法を採用していても構わない。【００４２】
メモリ３２は、例えば、プログラム用の格納メモリと作業メモリとから構成される。そして、マイコン３３は、上記メモリ３２を使用して、ビル階床名設定装置５内に備えられた上記各部の処理を実行する。
なお、上記データ格納部３０及びメモリ３２は、ハードディスクドライブや不揮発性メモリ、随時書込み保持動作の必要なメモリ等、如何なる記憶装置や記憶素子で構成しても構わない。また、入力編集制御部２７や表示制御部２９、データ格納部３０、通信部３１、メモリ３２は、これらの全部又は一部がマイコン３３に内蔵されていても構わない。【００４３】
次に、図５及び図６に基づき、上記構成を有するエレベータシステムの具体的な動作について説明する。なお、図５及び図６はこの発明の実施の形態１におけるエレベータシステムの動作を示すフローチャートである。
先ず、図５に基づき、表示階床名を新たに設定する際のビル階床名設定装置５の処理フローについて説明する。ビル階床名設定装置５では、表示階床名の設定作業が開始されるまで、表示部２８に背景画面等の初期画面が表示される（Ｓ１０１）。【００４４】
表示階床名の設定や変更を行う場合、エレベータの保守員は、表示部２８の表示内容を確認しながら入力編集部２６を操作し、表示階床名として新たに使用したいシンボルを入力していく（Ｓ１０２）。そして、保守員によるＳ１０２の入力編集作業が完了すると（Ｓ１０３）、ビル階床名設定装置５では、入力された各シンボルを、新規に使用する表示階床名として、データ格納部３０の表示内容データベースに保存する（Ｓ１０４）。【００４５】
また、ビル階床名設定装置５では、新規表示階床名をデータ格納部３０に保存した後、制御装置４から、管理階床名（エレベータの実際の停止階床数）を含むデータを、通信部３１を経由して受信し、メモリ３２等に保存する（Ｓ１０５、Ｓ１０６）。その後、入力編集制御部２７は、Ｓ１０４で保存した新規表示階床名をデータ格納部３０から順次取り出し、対応の管理階床名に割り付けるとともに、その対応関係をデータ格納部３０に保存していく（Ｓ１０７）。そして、上記割り付け作業が完了することによって、新規表示階床名（入力編集部２６から入力されたシンボル）と管理階床名との対応表がデータ格納部３０に格納されると（Ｓ１０８）、通信部３１は、Ｓ１０８で完成した上記対応表のデータを、そのデータを必要とする各装置、即ち、行先階登録装置１、行先階表示装置２、現在階表示装置３に対して送信する（Ｓ１０９）。
以上の動作によって、ビル階床名設定装置５の処理が終了する。【００４６】
次に、図６に基づき、表示階床名を新たに設定する際の行先階表示装置２の処理フローについて説明する。行先階表示装置２では、表示階床名の設定モードに移行されるまで、通常運転の動作モードが適用され、行先階表示部１４に背景画面等の初期画面が表示される（Ｓ２０１乃至Ｓ２０３）。【００４７】
そして、行先階表示装置２では、上記設定モードに移行されると、ビル階床名設定装置５の通信部３１から送信されてきた上記対応表のデータを、通信部１７によって受信し（Ｓ２０４）、受信完了後にその受信データを表示データ格納部１６の表示内容データベースに保存する（Ｓ２０５、Ｓ２０６）。即ち、行先階表示装置２では、通信部１７によって上記対応表を受信すると、メモリ１８に予め格納されている所定のプログラムに従い、表示データ格納部１６に予め格納されている対応表データを、通信部１７で受信した新規対応表のデータに書き換える処理を実行する。そして、この処理により、図５のＳ１０２において入力編集部２６から入力されたシンボルが、行先階表示装置２で使用される表示階床名として設定される。【００４８】
なお、表示階床名を新たに設定する際の行先階登録装置１及び現在階表示装置３の各処理フローも上記図６に示す処理フローと同様であるため、ここでの詳細な説明は省略する。そして、以上の動作により、行先階登録装置１、行先階表示装置２、現在階表示装置３の表示階床名が、同時に設定或いは変更される。【００４９】
この発明の実施の形態１によれば、エレベータシステムにおいて、表示階床名と管理階床名との対応を容易に設定することができ、更に、表示階床名を一旦設定した後でも、その表示内容を容易に変更することができるようになる。このため、エレベータ設置ビルのテナント状況や様々な客先要求への対応が容易となり、客先において即座に対応することが可能となる。また、エレベータの設置現場において、表示階床名の一括設定或いは一括変更ができるため、その作業を簡略化させ、操作ミス等による人的エラーを回避することも可能となる。【００５０】
なお、本実施の形態においては、特許請求の範囲における設定手段を、ビル階床名設定装置５の通信部３１、行先階表示装置２の通信部１７、メモリ１８、マイコン１９によって構成した場合について説明した。なお、上記構成の設定手段であれば、通信機能によってデータ伝送が行われるため、リアルタイムに表示階床名の設定を行うことができ、柔軟な対応が可能となる。また、作業性の更なる向上を図ることも可能である。しかし、この設定手段は、上記構成に限られるものではない。即ち、設定手段は、入力編集制御部２７の処理結果（対応表）に基づいて、入力編集部２６から入力されたシンボルを、行先階表示装置２で表示する表示階床名として設定できる機能を有していれば良い。【００５１】
例えば、上記設定手段は、ビル階床設定装置５や行先階表示装置２に着脱自在な不揮発性の記憶媒体を介してデータの授受を行うものであっても構わない。かかる場合、入力編集制御部２７の処理結果（対応表等のデータ）を上記記憶媒体に記憶させるための書込手段をビル階床名設定装置５に設け、更に、上記記憶媒体の記憶データを読み取るための読取手段を行先階表示装置２に設ける必要がある。そして、マイコン１９は、上記読取手段が記憶媒体から読み取った情報に基づき、入力編集部２６から入力されたシンボルを、行先階表示装置２で表示する表示階床名として設定するための処理を行う。【００５２】
また、本実施の形態では、行先階登録装置１や行先階表示装置２等とは別装置からなるビル階床名設定装置５を備えた場合について説明したが、入力編集部２６や入力編集制御部２７等の機能を、例えば、行先階登録装置１内に備えるように構成しても良い。このような構成を採用することにより、設備の兼用によって、システムに要するコストの低減が可能となる。なお、かかる場合は、行先階登録装置１の通信部１１に、上記通信部３１の機能を兼用させれば良い。また、既設の行先釦や戸開閉釦に上記入力編集部２６の機能を兼用させ、更なるコスト低減を図っても良い。
【産業上の利用可能性】
【００５３】
この発明に係るエレベータシステムは、表示階床名と管理階床名との設定或いは変更が必要な種々のエレベータに対して適用することが可能である。
【図１】
2010046969.tif 000003
【図２】
2010046969.tif 000004
【図３】
2010046969.tif 000005
【図４】
2010046969.tif 000006
【図５】
2010046969.tif 000007
【図６】
2010046969.tif 000008
【図７】
2010046969.tif 000009
【図８】
2010046969.tif 000010
【国際調査報告】
2010046969.tif 000011
2010046969.tif 000012
2010046969.tif 000013
2010046969.tif 000014